(57)【要約】【課題】操作棹の一端にエンジンを他端にカッターを備えた刈払機の振動を低減すること。【解決手段】メインパイプの後端にエンジンを備えエンジンによって駆動されるカッターをメインパイプの前端に備える刈払機において、前記メインパイプの外側に備えたエンジン支持ケース後端に前記エンジンのクラッチケース上部を取り付けるとともに前記クラッチケース前部を前記メインパイプに取り付け、ハンドルを取り付けた前記エンジン支持ケースの前端を前記メインパイプに取り付けて、前記エンジンの慣性力を一方向に発生させるようにした。【選択図】図２
2020124180.tif 000002
【特許請求の範囲】
【請求項１】
メインパイプの後端にエンジンを備えエンジンによって駆動されるカッターをメインパイプの前端に備える刈払機において、前記メインパイプの外側に備えたエンジン支持ケース後端に前記エンジンのクラッチケース上部を取り付けるとともに前記クラッチケース前部を前記メインパイプに取り付け、ハンドルを取り付けた前記エンジン支持ケースの前端を前記メインパイプに取り付けて、前記エンジンの慣性力を一方向に発生させるようにしたことを特徴とする刈払機の防振装置。
【請求項２】
クランク軸から重心までの距離と略同一高さの位置の前記クラッチケースに左右方向に設けたエンジン取り付けステーによって前記エンジンを前記エンジン支持ケースに取り付けるとともに前記エンジンの慣性力を上下方向に発生させるようにしたことを特徴とする請求項１記載の刈払機の防振装置。
【請求項３】
前記エンジン取り付けステーと前記エンジン支持ケースとの間に弾性部材を備え、前記クラッチケース前部前記メインパイプとの間に弾性体を備えたことを特徴とする請求項１又は請求項２記載の刈払機の防振装置。
【請求項４】
前記エンジン支持ケースと前記メインパイプとを弾性体を介して取り付けたことを特徴とする請求項１又は請求項２記載の刈払機の防振装置。
【請求項５】
前記エンジン支持ケースに刈払機の吊り部を設けたことを特徴とする請求項１又は請求項２記載の刈払機の防振装置。
【請求項６】
前記エンジン取り付けステーの前後方向の位置近傍で、前記クラッチケースに備えたクラッチとエンジンとカッターを接続する駆動軸とをダンパーを介して駆動するようにしたことを特徴とする請求項１又は請求項２記載の刈払機の防振装置。
【発明の詳細な説明】
【発明の詳細な説明】
【技術分野】
【０００１】  本発明は、エンジンを備えてカッターを回転させながらハンドルを左右に操作して雑草を刈る刈払機の防振装置に関する。
【背景技術】
【０００２】  エンジンを備えてカッターを回転させて雑草を刈る刈払機は、肩から下げた吊りバンドで刈払機の質量を保持しつつメインパイプに備えたハンドルを操作して作業するので、エンジンの振動に伴う作業者の疲労を軽減することが求められている。【０００３】  そのため、エンジンとハンドル支持ケースの間に防振コイルバネと防振ゴムからなる第１〜第３の防振部材を備えて、第１及び第２の防振部材は駆動軸を中心とする上部に左右対称に配置し第３の防振部材は駆動軸を挟んで下部に配置し、駆動軸からの上部の距離が下部の距離より大きくしてハンドル支持ケースに伝わるエンジンの振動を低減するようにしたものとして下記特許文献１がある。（名称は文献に記載された通り）【０００４】  また、駆動部に対して第１の防振機構を介して接続される第１の保持部と、メインパイプに対して第２の防振機構を介して接続される第２の保持部と、第１の保持部及び第２の保持部にハンドルを支持するハンドル支持部を備えてハンドル支持部に伝わるエンジンの振動を低減するようにしたものとして下記特許文献２がある。（名称は文献に記載された通り）
【先行技術文献】
【特許文献１】特許第４３３８４６９号公報
【特許文献２】特許第５５３６５４７号公報
【発明の概要】
【発明が解決しようとする課題】
【０００５】  上記特許文献１は、エンジンとハンドル支持ケースの間に備えた防振部材によってハンドル支持ケースに備えた把持装置に伝わる振動を低減するという考え方であり、ハンドル取り付けのためのハンドル挟持部からエンジン部までをハンドル支持ケースでつないでいるが、上下左右に配置した複数の防振ゴムを取り付けるため装置が大型化、複雑化して質量が増加しているだけでなく、更に防振コイルバネと防振ゴムの取り付けも複雑なものとなっているため組立作業性の低下やコストの増加などの問題を招いている。【０００６】  上記特許文献２は、駆動部とメインパイプとに対する第１のフローティング機構と、ハンドル支持部による第２のフローティング機構を構成するという考え方であるが、第１の保持部と第２の保持部との間を防振部材を備えたスライドパイプでつないでそこにハンドルホルダを備えるため、多数の防振部材を備えることによって大型化して複雑な構成となっており、質量増加やコスト増加などを招いているだけでなく多数の防振部材の配置による防振特性のバラツキなどの問題を招いている。【０００７】  また、上記いずれの特許文献も、振動によるエンジンの振れを緩衝するためにハンドル支持ケースや保持部を用いて防振部材を多面的に配置するという思想である。しかし、加振力方向を考慮せずに単に緩衝部材を配置しただけでは新たな振動モードが発生するために、別の方向に振れる新たな振動が発生することによって効果的な振動低減効果が得られないという問題があるが、そのための技術思想は示されていない。【０００８】  本発明はかかる点に鑑みてなされたものであり、その目的とするところは、刈払機のハンドルに伝わるエンジンの振動及び作業に伴うカッターからの断続的な振動、更にエンジンの回転変動による振動を簡単な構成で効果的に低減させる技術を提供することによって、刈払機の振動に伴う作業者の疲労を軽減することである。
【課題を解決するための手段】
【０００９】  上記課題を達成するために、本願請求項１記載の発明による刈払機の防振装置は、メインパイプの後端にエンジンを備えエンジンによって駆動されるカッターをメインパイプの前端に備える刈払機において、前記メインパイプの外側に備えたエンジン支持ケース後端に前記エンジンのクラッチケース上部を取り付けるとともに前記クラッチケース前部を前記メインパイプに取り付け、ハンドルを取り付けた前記エンジン支持ケースの前端を前記メインパイプに取り付けて、前記エンジンの慣性力を一方向に発生させるようにしたことを特徴としている。【００１０】  請求項２記載の発明は、クランク軸から重心までの距離と略同一高さの位置の前記クラッチケースに左右方向に設けたエンジン取り付けステーによって前記エンジンを前記エンジン支持ケースに取り付けるとともに前記エンジンの慣性力を上下方向に発生させるようにしたことを特徴としている。【００１１】  請求項３記載の発明は、前記エンジン取り付けステーと前記エンジン支持ケースとの間に弾性部材を備え、前記クラッチケース前部前記メインパイプとの間に弾性体を備えたことを特徴としている。【００１２】  請求項４記載の発明は、前記エンジン支持ケースと前記メインパイプとを弾性体を介して取り付けたことを特徴としている。【００１３】  請求項５記載の発明は、前記エンジン支持ケースに刈払機の吊り部を設けたことを特徴としている。【００１４】  請求項６記載の発明は、前記エンジン取り付けステーの前後方向の位置近傍で、前記クラッチケースに備えたクラッチとエンジンとカッターを接続する駆動軸とをダンパーを介して駆動するようにしたことを特徴としている。
【発明の効果】
【００１５】  上記請求項１の発明によると、慣性力による加振力が小さくなる位置でエンジンを支持するのでエンジン支持ケースに加わる振動が小さくできるとともに、エンジンの慣性力によって発生する振動を上下方向にのみ発生させるので新たな振動モードが発生することがない。そのため、ハンドルに伝わる振動を効果的に低減でき、振動による作業者の疲労が軽減される。【００１６】  上記請求項２の発明によると、エンジン支持ケースに加わる振動が最も小さくできる位置でエンジンを支持するので、広い運転範囲で振動を低減することができる。【００１７】  上記請求項３の発明によると、搭載する燃料の量が変化してもエンジン支持ケースに伝わる振動が大きく変化することがないため、エンジンの使用状態の変化に関わらずハンドルに伝わる振動を効果的に低減できる。【００１８】  上記請求項４の発明によると、作業に伴ってカッターからメインパイプを通して加わる振動がエンジン支持ケースに伝わりにくくなるため、カッターによるハンドルの振動を効果的に低減できる。【００１９】  上記請求項５の発明によると、刈払機を吊り下げるベルトの振動が低減できるので、作業者の肩の疲労が低減される。【００２０】  上記請求項６の発明によると、エンジンの回転変動やカッターからの切削抵抗の変化に伴う回転変動を吸収して円滑な運転が可能とできるので、定常運転時だけでなく過渡的な運転時も含めて広い運転範囲で振動を低減することができ、ハンドルや吊りバンドの振動による作業者の疲労が軽減される。【００２１】  以上のように、本発明は簡単な構成で組立性や質量増加、コスト増加などの問題を抑えつつ、あらゆる作業状態においてもエンジンやカッターからの振動を効果的に低減でき、作業者のハンドルを持つ手や刈払機を吊り下げた肩の疲労を軽減できるので効率的な草刈作業を可能とするものである。
【図面の簡単な説明】
【００２２】
【図１】本発明の実施形態である刈払機の外観斜視図である。
【図２】刈払機のエンジン支持ケース後部からエンジンの断面図である。
【図３】図２におけるＩＩＩ−ＩＩＩ線断面図である。
【図４】図３におけるＩＶ−ＩＶ線断面図である。
【図５】刈払機のエンジン支持ケース後部からエンジンの一部省略した側面図である。
【図６】図３におけるＶＩ−ＶＩ線断面図である。
【図７】エンジン支持ケース前部の側面図である。
【図８】図７におけるＶＩＩＩ−ＶＩＩＩ線断面図である。
【図９】弾性体の一例を示す正面図と平面図である。
【図１０】図７におけるＸ−Ｘ線断面図である。
【発明を実施するための形態】
【００２３】  以下、本発明の実施形態である刈払機を図面に基づいて説明する。
【００２４】  図１は本発明にかかる刈払機１の外観斜視図である。刈払機１は前後方向に延びるメインパイプ２の前端にカッター３と後端にエンジン４を備えて、途中に作業者が操作するハンドル５を備える。６はカッター３を取り付けて動力伝達の角度を変えているハウジングである。カッター３は図のような鋼鉄製の回転切刃やナイロンコードカッター等も使用できる。なお、図中に示すように、操作する際の作業者の向きを基準として、前後方向、左右方向、上下方向と捩り方向を定義する。
【００２５】  図２に示すように、エンジン４はシリンダ１１内に配置されたピストン１２が上下に往復動してクランク軸１３から動力を発生する。クランク軸１３の後端にはリコイル式始動装置１４が、前端には冷却ファンを兼ねるフライホイールマグネトウ１５を備えている。シリンダ１１を取り付けたクランクケース１６は冷却ファンケースを兼ねて、前方にクラッチケース１７を固着している。フライホイールマグネトウ１５には遠心クラッチのシュー１８が取り付けられ、クランク軸１３と同軸上に遠心クラッチのクラッチドラム１９がベアリング２０によって支承されており、所定の回転数でシュー１８からクラッチドラム１９にクランク軸１３の動力を伝達する。また、クランクケース１６の下方には燃料タンク２１が一体に取り付けられている。
【００２６】  ＩＩＩ−ＩＩＩ断面図である図３に示したように、クラッチドラム１９は内径側に向けた突起１９ａを有し、ゴムや合成樹脂などの駆動ダンパー２２を介してクランク軸１３の動力をジョイント２３に伝達する。ジョイント２３の内径部はスプラインとなっており、メインパイプ２の内側に設けた図示しない軸受に支承された駆動軸２４を駆動する。そして、駆動軸２４の前端から操作棹２の前端のハウジング６内に備えたベベルギヤを介してカッター３を回転させる。
【００２７】  クラッチケース１７には上部に左右に延びるエンジン取り付けステー２５を一体に備えて先端にゴムや合成樹脂などの弾性部材２６を取り付けており、ＩＶ−ＩＶ断面図である図４に示したように、左右の弾性部材２６を上下及び前側から囲って一体的に支持するエンジン支持ケース２７がクラッチケース１７の周囲を囲うように設けられている。ここで、エンジン取り付けステー２５は前後方向に平面を有する長方形の断面形状となっているが、多角形や円、楕円などであってもよく、特に形状に拘るものでない。なお、エンジン支持ケース２７断面を円として後端部でも半周以上形成され、エンジン４の質量を支えるための強度を確保している。
【００２８】  図２に示すように、ジョイント２３はベアリングホルダー２８に取り付けられたベアリング２９に支承されており、ベアリングホルダー２８はメインパイプ２の外径に嵌ってボルト３０で固着されるが、この時、内径部の段部３１をメインパイプ２の後端部に当てて取り付けているため、ジョイント２３の前後方向位置も規制される。
【００２９】  上記のように、クラッチケース１７のエンジン取り付けステー２５に弾性部材２６を取り付けて、クラッチケース１７の前端をベアリングホルダー２８に装着したゴムなどからなるダンパー３２の外周に挿入しながら図４のように弾性部材２６をエンジン支持ケース２７に挿入し、図２のようにジョイント２３に取り付けた駆動ダンパー２２にクラッチドラム１９を組み合わせることで、エンジン４が取り付けられ支持される。図３に示したように駆動ダンパー２２は一体となっており、クラッチドラム１９が組み付けしやすくなっている。その後、一部省略したエンジンの側面図である図５に示したように、ボルト３３によって固定プレート３４を取り付ける。固定プレート３４は後端がＬ字形に曲げられた３５部を有しているので、これによってエンジン４のエンジン支持ケース２７からの抜けを防止して確実に取り付けする。
【００３０】  ベアリンクホルダー２８の外周に取り付けられたダンパー３２は、図６に示したように外周が菊形となっているので、クラッチケース１７の振動を柔らかく緩衝する。
【００３１】  図７に示したように、エンジン支持ケース２７前方には一体に設けたハンドルブラケット部４０にハンドルホルダ４１によってハンドル５がボルト４２とナット４３で締め付け固着されている。
【００３２】  エンジン支持ケース２７の前端は図８に示したように左右に腕部２７ａを有し、メインパイプ２に固着されたホルダ４４の左右に取り付けたカラー４５上の弾性体４６によって上下及び前後に弾性支持されており、更に弾性体４６は左右方向にプレート４７を介してボルト４８によって取り付けられているので、メインパイプ２は左右方向にも弾性支持されている。
【００３３】  図９に示すように、弾性体４６は菊形の円筒部の一端にフランジ部を有して、菊形の溝がフランジ部まで延長された形状となっている。そのため、メインパイプ２とエンジン支持ケース２７との間を上下・前後・左右に柔らかく弾性支持する。
【００３４】  図１０に示すように、メインパイプ２にボルト４９によって固着されたホルダ４４は、上部に位置決めプレート５０をボルト５１によって取り付けている。
【００３５】  位置決めプレート５０は扇状に後部が幅広くなっており、端部をＬ字状に下方に曲げてエンジン支持ケース２７の爪部５２の間に収められている。これによって、メインパイプ２によるエンジン支持ケース２７の取り付け前後位置が決められ、エンジン取り付けステー２５からクラッチケース１７の位置が決められている。
【００３６】  ５３は刈払機１を肩から吊り下げる吊りバンドを取り付けるフックのための吊り部である。実施例ではエンジン支持ケース２７と一体としているが別体のものを取り付けるようにしても良い。
【００３７】  次に、上記構成の防振装置の作用について説明する。
【００３８】  エンジンはピストンやコンロッドの往復質量部分などの慣性力が加振源となって振動を発生させるのであるが、その動きを図５によって説明すると、ピストン１２などの往復質量による慣性力によって加振力Ｆが上向きの矢印方向に作用した時、重心Ｇが一点鎖線で示したように瞬間回転中心Ｐを中心として上方に動く。これは加振力による加振方向への並進運動イと重心Ｇを中心としたモーメントＭによる回転運動ロが合わさった運動の合成である。瞬間回転中心Ｐは加振力Ｆによる上向きの並進加速度αとモーメントＭによる下向きの回転加速度−αとが等しくなる点であり、従って瞬間回転中心Ｐの加速度は０になる。往復質量の上下動による逆方向の慣性力−Ｆによる加振力が加わった場合は上記と逆に瞬間回転中心Ｐを中心として重心Ｇは下方に動く。従って、瞬間回転中心Ｐでエンジンを支持すれば最も振動が小さくできる。
【００３９】  往復質量によって発生するエンジンの慣性力は、クランクバランスによってベクトル方向を設定できることは公知である。そのため、慣性力を上下方向にのみ発生するようにすると加振力Ｆは上下方向にしか発生しない。瞬間回転中心Ｐであるクラッチケース１７にエンジン取り付けステー２５を設けているので、エンジンの質量を支持しながら振動が最も小さくなる取り付けができる。具体的には、クランク軸１３から重心Ｇまでの距離Ｌと略同一高さの位置にエンジン取り付けステー２５を設けて、エンジン支持ケース２７によって取付けステー２５を囲うように支承している。このため、運転するエンジンの回転数や負荷に関わらず、新たな振動モードを発生することもなくエンジン支持ケース２７に伝わる振動を常に最も小さくする設定とできる。
【００４０】  なお、瞬間回転中心Ｐから離れたクラッチケース１７の先端に上下方向に発生する振れはダンパー３２に設けられた菊形の形状によって小さな振動は柔らかく緩衝し、大きな振動には過大な振れを抑えるのでメインパイプ２に伝わる振動は問題なく低減される。
【００４１】  エンジン支持ケース２７は前端の腕部２７ａの中の弾性体４６の捩れによって筒部２７ａを中心にして後端部が振動するが、上記のように振動の最も小さくなる位置でエンジン４を支持しているためエンジン支持ケース２７に加わる振動自体が小さくなっているうえ振動中心の腕部２７ａの近くにハンドル５を固定しているため、ハンドル５の振動は全く問題なく低減される。
【００４２】  ところで、エンジンには燃料タンク２１が一体で取り付けられているので、燃料の量によって重心Ｇの位置が変化する。そのため厳密には瞬間回転中心Ｐの位置も変化することになるが、エンジン４全体の質量と燃料の質量の比からＰの位置が大きく変化することはないので、エンジン取り付けステー２５に取り付けた弾性部材２６によって伝達される振動は緩衝され低減される。また、瞬間回転中心Ｐの位置変化によってエンジン支持ケース２７後端の振動が少し大きくなったとしても、前部の腕部２７ａの近くにハンドル５を固定しているためハンドル５の振動が問題になるほど変化することはない。
【００４３】  すなわち、エンジン取り付けステー２５は瞬間回転中心Ｐの位置に厳密に一致させなくても、あるいは一致できなくても振動低減効果が得られる構成とできたということであり、これは量産した際に弾性部材など個々の構成要素のバラツキを厳しく管理しなくても安定した品質の製品が提供できるということであり、従来の実施例に比べて構成要素を少なくできているだけでなく品質が安定するという点からも効果が大きい。更に、長期の使用によってゴムなどの劣化が発生して特性が変化した場合でもハンドル５の振動の変化が小さいという優れた効果も有している。
【００４３】  なお、図４に示したように弾性部材２６の外形部前後の隅は面取りが施されているので、逃げとなって弾性部材２６の変形を可能にしているが、形状や硬度などはそれぞれ要求に応じて設定可能である。
【００４４】  以上のように、エンジンの慣性力によって発生するエンジン振動は支持ケース２７前部においてはエンジン回転数に関わらず広い運転範囲で低減されるため、左右のハンドル長さの異なる非対称ハンドルとしても左右で振動強度が異なることがなく、また、エンジン支持ケース２７に設けた吊り部５３から下げた吊りバンドの振動も低減できる。
【００４５】  ところで、草刈作業ではカッター３の断続的な切削抵抗がメインパイプ２の軸心と離れて発生しているために、メインパイプ２には左右方向の振動と捩りによる振動が発生する。
【００４６】  切削抵抗によるメインパイプ２の左右方向の振動は弾性体４６のフランジ部が受けるが、菊形の溝がフランジ部まで延長された形状となっているため、小さな振動は柔らかく緩衝し大きな振動には過大な変形を抑えるので振動を抑えた剛性感のあるハンドル取り回しができる。
【００４７】  また、カッター３がメインパイプ２軸心から離れているため切削抵抗によるメインパイプ２に発生する捩りによる振動については、弾性体４６の円筒部とフランジ部が変形して緩衝する。
【００４８】  そのため、断続的な切削抵抗によるメインパイプ２の捩りによる振動については、弾性体４６によって効果的に低減される。
【００４９】  エンジンは、４サイクルエンジンでは２回転で１サイクルを行うために定常運転においても回転変動が大きく、２サイクルエンジンでは低負荷や減速時において不整燃焼に伴う大きな回転変動があり、いずれもハンドル５の振動を発生する。
【００５０】  この回転変動については、駆動軸２４やクランク軸１３の回転変動を駆動ダンパー２２が緩衝するとともに弾性体４６によって緩衝するため、ハンドル５に伝わる振動は効果的に低減される。また、駆動ダンパー２２の前後位置をエンジン瞬間回転中心Ｐ近傍に配置したことによって、慣性力に伴うクラッチドラム１９とジョイント２３のズレ角度を最も小さくできるので駆動ダンパー２２を小型化できる。
【００５１】  以上説明したように、本発明は往復質量の慣性力が加振源となって発生させるエンジン振動の加速度が最も小さくなる位置でエンジンを支承するようにし、エンジン支持ケース後端に前記エンジンのクラッチケース上部を取り付けるとともに前記クラッチケース前部を前記メインパイプに取り付けるようにしたので、簡単な構成でエンジンの慣性力によって発生するハンドルに伝わる振動を広い運転範囲で効果的に低減できるため、作業者の疲労が軽減されるとともにカッターの切削抵抗による振動やエンジンの回転変動による振動も低減できる。そのため、長時間の作業においても作業者の疲労を軽減できる優れた効果を有するとともに、弾性部材などの配置数も少ないので製品ごとの防振性能のバラツキの問題も生じることがない。
【００５２】  また、瞬間回転中心Ｐの位置にエンジン取り付けステー２５を一致させることが望ましいが、設計上の制約や製造要件などが発生する場合には必ずしも一致させることが難しい場合があるが、瞬間回転中心Ｐの近傍のクラッチケース１７にエンジン取り付けステー２５を配置しても本発明の技術的思想を異にするものではない。また、エンジン取り付けステー２５はクラッチケース１７と別体として固着するようにしても構わない。
【００５３】  また、クランクバランスはエンジンの加振力をエンジンの上下方向のみに発生させるように設定するのが望ましいが、エンジンの共通化や部品管理上などの理由から１００％上下方向に発生させたものでなくても本発明の効果が得られることは明らかで、本発明の技術的思想を異にするものではない。
【００５４】  また、クラッチケース１７の先端に設けた上下方向に緩衝するダンパー３２は菊形の形状にこだわる必要はなく、バネ定数の設定によっては駆動ダンパー２２とジョイント２３を廃止することも可能である。
【００５５】  また、エンジン支持ケース２７は断面を円に限らず楕円や長円や多角形の形状でも構わないが、閉断面とすることで強度が得られるので合成樹脂や薄肉軽合金製として軽量化が実現できるため、刈払機の質量増加を最小に抑えて実施できる。なお、エンジン支持ケース２７後部の円錐台形状と前部の筒部とを別体として組み合わせることも可能である。
【符号の説明】
【００５６】１  刈払機                            ２  メインパイプ
３  カッター                          ４  エンジン
５  ハンドル                          ６  ハウジング
１１  シリンダ                        １２  ピストン
１３  クランク軸                      １６  クランクケース
１７  クラッチケース                  ２２  駆動ダンパー
２４  駆動軸                          ２５  エンジン取り付けステー
２６  弾性部材                        ２７  エンジン支持ケース
２７ａ  腕部                          ２８  ベアリングホルダー
３２  ダンパー                        ４４  ホルダ
４５  カラー                          ４６  弾性体
Ｆ  加振力                            Ｐ  瞬間回転中心
Ｇ  重心                              Ｍ  モーメント
【図１】
2020124180.tif 000003
【図２】
2020124180.tif 000004
【図３】
2020124180.tif 000005
【図４】
2020124180.tif 000006
【図５】
2020124180.tif 000007
【図６】
2020124180.tif 000008
【図７】
2020124180.tif 000009
【図８】
2020124180.tif 000010
【図９】
2020124180.tif 000011
【図１０】
2020124180.tif 000012